(57)【特許請求の範囲】
【請求項１】
施設に設けられた各区画について利用者の入退可否を判定するとともに、当該利用者のアンチパスバックを判定する入退管理システムであって、
前記区画ごとに、当該区画を識別するための個別ＩＤを記憶するとともに、前記アンチパスバックを判定するために前記区画を単位として予め設けられたエリアであって、少なくとも複数の区画からなるエリアを含む、複数のエリアのうち、当該区画が属するエリアを識別するためのエリアＩＤを記憶する区画情報記憶部と、
前記利用者ごとに、前記区画での入退可否を判定するための判定情報を記憶する利用者情報記憶部と、
前記利用者ごとに、当該利用者が存在する前記区画の個別ＩＤを示す現在個別ＩＤと、当該利用者が存在する前記エリアのエリアＩＤを示す現在エリアＩＤとを記憶する現在位置情報記憶部と、
少なくとも、前記区画に設けられたドアのうち異なるエリアの区画へ移動するためのドアの両側と、前記区画に設けられたドアのうち同一エリアの区画へ移動するためのドアのいずれか片側とに設置されて、利用者操作に応じて当該移動元区画から当該移動先区画に対する当該利用者の入退可否判定を要求する判定要求を送信するリーダ端末と、
前記リーダ端末からの判定要求に応じて、前記利用者情報記憶部から取得した前記利用者の判定情報に基づき前記移動先区画に対する前記利用者の入退可否を判定するとともに、前記区画情報記憶部から取得した前記移動元区画のエリアＩＤと、前記現在位置情報記憶部から取得した前記利用者の現在エリアＩＤとを比較することにより前記利用者のアンチパスバックを判定し、前記入退可否判定の結果が入退可を示すとともにアンチパスバック違反なしと判定された場合、当該区画に設けられている電気錠の開錠を指示するとともに、前記現在位置情報記憶部のうち前記利用者の現在エリアＩＤおよび現在区画ＩＤとして、前記区画情報記憶部から取得した前記移動先区画のエリアＩＤおよび個別ＩＤを登録する判定処理部と
を備えることを特徴とする入退管理システム。
【請求項２】
請求項１に記載の入退管理システムにおいて、
前記区画情報記憶部は、前記区画ごとに、前記個別ＩＤおよび前記エリアＩＤを、前記個別ＩＤおよび前記エリアＩＤを含む区画コードとして記憶し、
前記現在位置情報記憶部は、前記利用者ごとに、前記現在個別ＩＤおよび前記現在エリアＩＤを、前記現在個別ＩＤおよび前記現在エリアＩＤを含む現在区画コードとして記憶し、
前記判定処理部は、前記アンチパスバック判定の際、前記区画情報記憶部から取得した前記移動元区画の区画コードから前記エリアＩＤを抽出するとともに、前記現在位置情報記憶部から取得した前記利用者の現在区画コードから前記現在エリアＩＤを抽出し、前記入退可否判定の結果が入退可を示すとともにアンチパスバック違反なしと判定された場合、当該区画に設けられている電気錠の開錠を指示するとともに、前記現在位置情報記憶部のうち前記利用者の現在区画コードとして、前記区画情報記憶部から取得した前記移動先区画の区画コードを登録する
ことを特徴とする入退管理システム。
【請求項３】
施設に設けられた各区画について利用者の入退可否を判定するとともに、当該利用者のアンチパスバックを判定する入退管理システムで用いられる入退管理方法であって、
区画情報記憶部が、前記区画ごとに、当該区画を識別するための個別ＩＤを記憶するとともに、前記アンチパスバックを判定するために前記区画を単位として予め設けられたエリアであって、少なくとも複数の区画からなるエリアを含む、複数のエリアのうち、当該区画が属するエリアを識別するためのエリアＩＤを記憶する区画情報記憶ステップと、
利用者情報記憶部が、前記利用者ごとに、前記区画での入退可否を判定するための判定情報を記憶する利用者情報記憶ステップと、
現在位置情報記憶部が、前記利用者ごとに、当該利用者が存在する前記区画の個別ＩＤを示す現在個別ＩＤと、当該利用者が存在する前記エリアのエリアＩＤを示す現在エリアＩＤとを記憶する現在位置情報記憶ステップと、
少なくとも、前記区画に設けられたドアのうち異なるエリアの区画へ移動するためのドアの両側と、前記区画に設けられたドアのうち同一エリアの区画へ移動するためのドアのいずれか片側とに設置されたリーダ端末が、利用者操作に応じて当該移動元区画から当該移動先区画に対する当該利用者の入退可否判定を要求する判定要求を送信する判定要求ステップと、
判定処理部が、前記リーダ端末からの判定要求に応じて、前記利用者情報記憶部から取得した前記利用者の判定情報に基づき前記移動先区画に対する前記利用者の入退可否を判定するとともに、前記区画情報記憶部から取得した前記移動元区画のエリアＩＤと、前記現在位置情報記憶部から取得した前記利用者の現在エリアＩＤとを比較することにより前記利用者のアンチパスバックを判定し、前記入退可否判定の結果が入退可を示すとともにアンチパスバック違反なしと判定された場合、当該区画に設けられている電気錠の開錠を指示するとともに、前記現在位置情報記憶部のうち前記利用者の現在エリアＩＤおよび現在区画ＩＤとして、前記区画情報記憶部から取得した前記移動先区画のエリアＩＤおよび個別ＩＤを登録する判定処理ステップと
を備えることを特徴とする入退管理方法。
【請求項４】
請求項３に記載の入退管理方法において、
前記区画情報記憶ステップは、前記区画ごとに、前記個別ＩＤおよび前記エリアＩＤを、前記個別ＩＤおよび前記エリアＩＤを含む区画コードとして記憶し、
前記現在位置情報記憶ステップは、前記利用者ごとに、前記現在個別ＩＤおよび前記現在エリアＩＤを、前記現在個別ＩＤおよび前記現在エリアＩＤを含む現在区画コードとして記憶し、
前記判定処理ステップは、前記アンチパスバック判定の際、前記区画情報記憶部から取得した前記移動元区画の区画コードから前記エリアＩＤを抽出するとともに、前記現在位置情報記憶部から取得した前記利用者の現在区画コードから前記現在エリアＩＤを抽出し、前記入退可否判定の結果が入退可を示すとともにアンチパスバック違反なしと判定された場合、当該区画に設けられている電気錠の開錠を指示するとともに、前記現在位置情報記憶部のうち前記利用者の現在区画コードとして、前記区画情報記憶部から取得した前記移動先区画の区画コードを登録する
ことを特徴とする入退管理方法。
【発明の詳細な説明】
【技術分野】
【０００１】
本発明は、入退管理技術に関し、特に利用者に対する入退判定時に、利用者の不正入退を検査するためのアンチパスバック判定を行う入退管理技術に関する。
【背景技術】
【０００２】
施設内に設けた各区画について、これら区画を利用する利用者の入退室を管理する入退管理システムでは、個人を識別するための個人識別番号を記録したＩＤカードなどの記録媒体を利用者に予め配布しておき、利用者が任意の区画で入退室する際、当該区画の出入口に設けられたカードリーダなどのリーダ端末でＩＤカードから読み取った個人識別番号に基づいて、当該利用者に対する入退可否を判定し、入退可の判定に応じて、当該区画のドアに設けられた電気錠を開錠するものとなっている。
【０００３】
またこのような入退管理システムでは、ＩＤカードの不正使用や誤使用による利用者の不正入退を検査するため、利用者の移動をチェックするアンチパスバック判定を行う場合がある。この場合、まず、リーダ端末ごとに、対応する扉を通行する際の移動元区画および移動先区画の区画ＩＤを予め登録しておき、上記入退可の判定に応じて利用者の現在位置を示す区画ＩＤを現在区画ＩＤとして登録することにより、区画ごとに在室管理を行う。そして、上記入退判定時に、移動元区画ＩＤと利用者の現在区画ＩＤとを比較することにより、アンチパスバック判定を行うものとなっている（例えば、特許文献１など参照）。
【先行技術文献】
【特許文献】
【０００４】
【特許文献１】特開２０１０−０２０５１７号公報
【発明の概要】
【発明が解決しようとする課題】
【０００５】
このような入退管理システムでは、区画によっては入室だけをチェックし、退室についてはチェックせずに自由に退室可能な区画も数多く存在する。したがって、このような区画では、退室用のリーダ端末を省き、システム全体のコストダウンを図ることも考えられる。
【０００６】
しかしながら、このような従来技術では、アンチパスバック判定に用いる移動元区画ＩＤと利用者の現在区画ＩＤとして、予め各区画に設定した、各区画に個別の区画ＩＤを用いているため、各区画での入退を厳密にチェックして、利用者の現在区画ＩＤを正確に把握する必要がある。したがって、退室自由な区画の退室用リーダ端末を省いた場合には、アンチパスバック判定を正確に行うことができないという問題点があった。
【０００７】
すなわち、退室自由な区画Ｘの退室用リーダ端末を省いた場合、区画Ｘから区画Ｙへ退室した後も、利用者の現在区画ＩＤが移動前の区画Ｘを示すことになる。このため、利用者が区画Ｙから区画Ｚへさらに移動する場合、区画Ｙに在室しているにもかかわらず、利用者の現在区画ＩＤが区画Ｘを示すことから、この時点でパスバック違反と判定されることになる。したがって、アンチパスバック判定を正確に行うためには、区画Ｘの退室用リーダ端末を省くことはできない。
【０００８】
本発明はこのような課題を解決するためのものであり、退室自由な区画の退室用リーダ端末を省いても、アンチパスバック判定を正確に行うことができる入退管理技術を提供することを目的としている。
【課題を解決するための手段】
【０００９】
このような目的を達成するために、本発明にかかる入退管理システムは、施設に設けられた各区画について利用者の入退可否を判定するとともに、当該利用者のアンチパスバックを判定する入退管理システムであって、区画ごとに、当該区画を識別するための個別ＩＤを記憶するとともに、アンチパスバックを判定するために区画を単位として予め設けられたエリアであって、少なくとも複数の区画からなるエリアを含む、複数のエリアのうち、当該区画が属するエリアを識別するためのエリアＩＤを記憶する区画情報記憶部と、利用者ごとに、区画での入退可否を判定するための判定情報を記憶する利用者情報記憶部と、利用者ごとに、当該利用者が存在する区画の個別ＩＤを示す現在個別ＩＤと、当該利用者が存在するエリアのエリアＩＤを示す現在エリアＩＤとを記憶する現在位置情報記憶部と、少なくとも、区画に設けられたドアのうち異なるエリアの区画へ移動するためのドアの両側と、区画に設けられたドアのうち同一エリアの区画へ移動するためのドアのいずれか片側とに設置されて、利用者操作に応じて当該移動元区画から当該移動先区画に対する当該利用者の入退可否判定を要求する判定要求を送信するリーダ端末と、リーダ端末からの判定要求に応じて、利用者情報記憶部から取得した利用者の判定情報に基づき移動先区画に対する利用者の入退可否を判定するとともに、区画情報記憶部から取得した移動元区画のエリアＩＤと、現在位置情報記憶部から取得した利用者の現在エリアＩＤとを比較することにより利用者のアンチパスバックを判定し、入退可否判定の結果が入退可を示すとともにアンチパスバック違反なしと判定された場合、当該区画に設けられている電気錠の開錠を指示するとともに、現在位置情報記憶部のうち利用者の現在エリアＩＤおよび現在区画ＩＤとして、区画情報記憶部から取得した移動先区画のエリアＩＤおよび個別ＩＤを登録する判定処理部とを備えている。
【００１０】
この際、区画情報記憶部で、区画ごとに、個別ＩＤおよびエリアＩＤを、個別ＩＤおよびエリアＩＤを含む区画コードとして記憶し、現在位置情報記憶部で、利用者ごとに、現在個別ＩＤおよび現在エリアＩＤを、現在個別ＩＤおよび現在エリアＩＤを含む現在区画コードとして記憶し、判定処理部で、アンチパスバック判定の際、区画情報記憶部から取得した移動元区画の区画コードからエリアＩＤを抽出するとともに、現在位置情報記憶部から取得した利用者の現在区画コードから現在エリアＩＤを抽出し、入退可否判定の結果が入退可を示すとともにアンチパスバック違反なしと判定された場合、当該区画に設けられている電気錠の開錠を指示するとともに、現在位置情報記憶部のうち利用者の現在区画コードとして、区画情報記憶部から取得した移動先区画の区画コードを登録するようにしてもよい。
【００１１】
また、本発明にかかる入退管理方法は、施設に設けられた各区画について利用者の入退可否を判定するとともに、当該利用者のアンチパスバックを判定する入退管理システムで用いられる入退管理方法であって、区画情報記憶部が、区画ごとに、当該区画を識別するための個別ＩＤを記憶するとともに、アンチパスバックを判定するために区画を単位として予め設けられたエリアであって、少なくとも複数の区画からなるエリアを含む、複数のエリアのうち、当該区画が属するエリアを識別するためのエリアＩＤを記憶する区画情報記憶ステップと、利用者情報記憶部が、利用者ごとに、区画での入退可否を判定するための判定情報を記憶する利用者情報記憶ステップと、現在位置情報記憶部が、利用者ごとに、当該利用者が存在する区画の個別ＩＤを示す現在個別ＩＤと、当該利用者が存在するエリアのエリアＩＤを示す現在エリアＩＤとを記憶する現在位置情報記憶ステップと、少なくとも、区画に設けられたドアのうち異なるエリアの区画へ移動するためのドアの両側と、区画に設けられたドアのうち同一エリアの区画へ移動するためのドアのいずれか片側とに設置されたリーダ端末が、利用者操作に応じて当該移動元区画から当該移動先区画に対する当該利用者の入退可否判定を要求する判定要求を送信する判定要求ステップと、判定処理部が、リーダ端末からの判定要求に応じて、利用者情報記憶部から取得した利用者の判定情報に基づき移動先区画に対する利用者の入退可否を判定するとともに、区画情報記憶部から取得した移動元区画のエリアＩＤと、現在位置情報記憶部から取得した利用者の現在エリアＩＤとを比較することにより利用者のアンチパスバックを判定し、入退可否判定の結果が入退可を示すとともにアンチパスバック違反なしと判定された場合、当該区画に設けられている電気錠の開錠を指示するとともに、現在位置情報記憶部のうち利用者の現在エリアＩＤおよび現在区画ＩＤとして、区画情報記憶部から取得した移動先区画のエリアＩＤおよび個別ＩＤを登録する判定処理ステップとを備えている。
【００１２】
この際、区画情報記憶ステップで、区画ごとに、個別ＩＤおよびエリアＩＤを、個別ＩＤおよびエリアＩＤを含む区画コードとして記憶し、現在位置情報記憶ステップで、利用者ごとに、現在個別ＩＤおよび現在エリアＩＤを、現在個別ＩＤおよび現在エリアＩＤを含む現在区画コードとして記憶し、判定処理ステップで、アンチパスバック判定の際、区画情報記憶部から取得した移動元区画の区画コードからエリアＩＤを抽出するとともに、現在位置情報記憶部から取得した利用者の現在区画コードから現在エリアＩＤを抽出し、入退可否判定の結果が入退可を示すとともにアンチパスバック違反なしと判定された場合、当該区画に設けられている電気錠の開錠を指示するとともに、現在位置情報記憶部のうち利用者の現在区画コードとして、区画情報記憶部から取得した移動先区画の区画コードを登録するようにしてもよい。
【発明の効果】
【００１３】
本発明によれば、同一エリアに属する区画間を利用者が移動した後、異なるエリアの区画へ移動する際、同一エリアの移動では利用者の現在エリアＩＤは変更されないため、アンチパスバック判定を正確に行うことができる。したがって、エリアが同一の区画間について入退判定せずに移動自由とした場合でも、エリア間の移動についてはアンチパスバック判定を正確に行うことができる。
【図面の簡単な説明】
【００１４】
【図１】第１の実施の形態にかかる入退管理システムの構成を示すブロック図である。
【図２】第１の実施の形態にかかる区画情報の構成例である。
【図３】端末情報の構成例である。
【図４】利用者情報の構成例である。
【図５】第１の実施の形態にかかる現在位置情報の構成例である。
【図６】第１の実施の形態にかかる入退管理システムの入退判定動作を示すフローチャートである。
【図７】第１の実施の形態にかかる入退管理システムの入退判定動作例を示す説明図である。
【図８】区画コードの構成例である。
【図９】第２の実施の形態にかかる区画情報の構成例である。
【図１０】第２の実施の形態にかかる現在位置情報の構成例である。
【図１１】第２の実施の形態にかかる入退管理システムの入退判定動作例を示す説明図である。
【発明を実施するための形態】
【００１５】
次に、本発明の実施の形態について図面を参照して説明する。
［第１の実施の形態］
まず、図１を参照して、本発明の第１の実施の形態にかかる入退管理システムについて説明する。図１は、第１の実施の形態にかかる入退管理システムの構成を示すブロック図である。
【００１６】
この入退管理システム１には、ＩＤカード１０、電気錠２２、リーダ端末２３、および判定処理装置３０が含まれている。電気錠２２とリーダ端末２３は、各区画２０にそれぞれ配置されており、通信回線Ｌ１を介してそれぞれデータ通信可能に判定処理装置３０と接続されている。これら電気錠２２やリーダ端末２３は、入退管理システム１の規模に応じて複数配置される。
【００１７】
ＩＤカード１０は、メモリカードやＩＣカードなどの携帯可能な情報処理用のカードからなり、当該ＩＤカードを所持する利用者の通行可否を判定するために必要な情報として、利用者に固有の利用者ＩＤなどの利用者識別情報を記録する機能を有している。
【００１８】
区画２０は、利用者の入退を管理する単位であり、エリア２５は、１つ以上の区画２０から構成されてアンチパスバックの違反有無を判定する単位である。
電気錠２２は、区画２０のドア２１ごとに設けられた電動式の錠前からなり、通信回線Ｌ１を介して受信した判定処理装置３０からの開錠／施錠の指示に応じて、ドア２１の開錠／施錠を行う機能を有している。なお、電気錠２２は、常時、施錠されており、判定処理装置３０から開錠指示が到来した場合にのみ所定期間だけ開錠するものとする。
【００１９】
リーダ端末２３は、カードリーダなどのカード処理装置からなり、カードスロットへＩＤカードを挿入し（接触型）、あるいはカードアンテナへＩＤカードをかざすことにより（非接触型）、利用者が提示したＩＤカード１０からカード情報を読み出す機能と、当該カード情報を判定処理装置３０へ通信回線Ｌ１を介して送信する機能とを有している。
【００２０】
各区画２０に設けられたドア２１のうち、異なるエリア２５に属する区画２０へ移動するためのドア２１については、このドア２１の両側（入側と出側）にリーダ端末２３をそれぞれ設置する。また、同一エリア２５に属する区画へ移動するためのドア２１については、このドア２１の片側（入側または出側）にリーダ端末２３を設置する。したがって、同一エリア２５に属する区画２０間に設けられたドア２１において、いずれか一方の移動方向について入退可否を判定しない場合、当該移動方向時に操作するリーダ端末２３を省いてもよい。
【００２１】
判定処理装置３０は、設備の管理・監視を行う各種制御システムで用いられるコントローラなどの制御装置、あるいはサーバ装置やパソコンなどの情報処理装置からなり、リーダ端末２３でＩＤカード１０から読み取られたカード情報に基づき、各区画２０における利用者の入退可否判定、および利用者の不正入退を検査するためのアンチパスバック判定を行う機能を有している。
【００２２】
判定処理装置３０には、主な機能部として、通信インターフェース部（以下、通信Ｉ／Ｆ部という）３１、記憶部３２、区画情報記憶部３３、端末情報記憶部３４、利用者情報記憶部３５、現在位置情報記憶部３６、および判定処理部３７が設けられており、これら機能部は、内部バスを介して相互にデータやり取り可能に接続されている。
【００２３】
通信Ｉ／Ｆ部３１は、通信回線Ｌ１を介して電気錠２２やリーダ端末２３、さらにはサーバ装置やパソコンなどの情報処理装置（図示せず）などの外部装置とデータ通信を行う機能を有している。
記憶部３２は、メモリやハードディスクなどの記憶装置からなり、判定処理装置３０での処理動作に用いる各種情報やプログラムを記憶する機能を有している。
【００２４】
区画情報記憶部３３は、メモリやハードディスクなどの記憶装置からなり、入退室を管理する区画２０ごとに、当該区画２０を識別するための個別ＩＤと、１つ以上の区画２０から構成されてアンチパスバックを判定するエリア２５ごとに、当該エリア２５を識別するためのエリアＩＤとを記憶する記憶部である。
図２は、第１の実施の形態にかかる区画情報の構成例である。ここでは、区画２０ごとに、区画ＩＤ、区画名、個別ＩＤ、およびエリアＩＤの組が登録されている。個別ＩＤについては、エリア２５内で区画２０を識別できるものであればよく、エリア２５間を跨いで区画２０を識別できるものであってもよい。
【００２５】
端末情報記憶部３４は、メモリやハードディスクなどの記憶装置からなり、リーダ端末２３ごとに、当該リーダ端末２３の操作で入退判定する移動元区画および移動先区画を記憶する記憶部である。
図３は、端末情報の構成例である。ここでは、リーダ端末２３ごとに、移動元区画の区画ＩＤを示す移動元区画ＩＤと、移動先区画の区画ＩＤを示す移動先区画ＩＤとの組が登録されている。
【００２６】
利用者情報記憶部３５は、メモリやハードディスクなどの記憶装置からなり、区画２０を利用する利用者ごとに、当該利用者を識別するための利用者ＩＤなどの利用者識別情報と、各区画に対する当該利用者の入退可否を判定するための通行許可区画ＩＤなどの判定情報との組を記憶する記憶部である。
図４は、利用者情報の構成例である。ここでは、利用者ＩＤごとに、当該利用者が通行可能な区画の区画ＩＤのリストを示す通行許可区画ＩＤが登録されている。
【００２７】
現在位置情報記憶部３６は、メモリやハードディスクなどの記憶装置からなり、区画２０を利用する利用者ごとに、当該利用者の現在位置に関する現在エリアＩＤや現在個別ＩＤなどの現在位置情報を記憶する記憶部である。
図５は、第１の実施の形態にかかる現在位置情報の構成例である。ここでは、利用者ＩＤごとに、当該利用者が存在するエリアのエリアＩＤを示す現在エリアＩＤと、当該利用者が存在する区画の区画ＩＤを示す現在区画ＩＤとの組が登録されている。
【００２８】
判定処理部３７は、ＣＰＵとプログラムとが協働してなる演算処理部により構成されており、通信Ｉ／Ｆ部３１で受信したリーダ端末２３からの判定要求に応じて、判定要求で指定されたリーダ端末ＩＤに基づき端末情報記憶部３４から取得した移動先区画ＩＤと、判定要求で指定された利用者ＩＤに基づき利用者情報記憶部３５から取得した当該利用者の通行許可区画ＩＤとを比較し、この比較結果に応じて当該利用者に対する移動先区画ＩＤへの入退可否を判定する機能とを有している。
【００２９】
また、判定処理部３７は、判定要求で指定されたリーダ端末ＩＤに基づき端末情報記憶部３４から移動元区画ＩＤを取得し、この移動元区画ＩＤに基づき区画情報記憶部３３から取得したエリアＩＤと、判定要求で指定された利用者ＩＤに基づき現在位置情報記憶部３６から取得した利用者の現在エリアＩＤとを比較することにより利用者のアンチパスバックの違反有無を判定する機能と、入退可否判定の結果が入退可を示すとともにアンチパスバック違反なしと判定された場合、通信Ｉ／Ｆ部３１から当該リーダ端末２３と対応する電気錠２２へ開錠を指示するとともに、現在位置情報記憶部３６のうち利用者の現在エリアＩＤおよび現在区画ＩＤとして、区画情報記憶部３３から取得した移動先区画のエリアＩＤおよび個別ＩＤを登録する機能とを有している。
【００３０】
［第１の実施の形態の動作］
次に、図６を参照して、本実施の形態にかかる入退管理システムの入退判定動作について説明する。図６は、第１の実施の形態にかかる入退管理システムの入退判定動作を示すフローチャートである。
判定処理装置３０の判定処理部３７は、通信Ｉ／Ｆ部３１で受信したリーダ端末２３からの判定要求に応じて、図６の入退判定処理を実行する。
【００３１】
まず、判定処理部３７は、判定要求で指定されたリーダ端末ＩＤに基づき端末情報記憶部３４から移動先区画ＩＤを取得するとともに（ステップ１００）、判定要求で指定された利用者ＩＤに基づき利用者情報記憶部３５から当該利用者の通行許可区画ＩＤを取得する（ステップ１０１）。
次に、判定処理部３７は、移動先区画ＩＤが通行許可区画ＩＤに含まれているか確認し（ステップ１０２）、移動先区画ＩＤが通行許可区画ＩＤに含まれていない場合（ステップ１０２：ＮＯ）、判定処理部３７は、当該移動先区画に対する当該利用者の入室は不可と判定し、一連の入退判定処理を終了する。これにより、対応するドア２１の電気錠２２は施錠されたままとなり、利用者は移動先区画へ入室することはできない。
【００３２】
一方、移動先区画ＩＤが通行許可区画ＩＤに含まれている場合（ステップ１０２：ＹＥＳ）、判定処理部３７は、判定要求で指定されたリーダ端末ＩＤに基づき端末情報記憶部３４から移動元区画ＩＤを取得した後、この移動元区画ＩＤに基づき区画情報記憶部３３から移動元区画のエリアＩＤを示す移動元エリアＩＤを取得し（ステップ１０３）、判定要求で指定された利用者ＩＤに基づき現在位置情報記憶部３６から当該利用者の現在エリアＩＤを取得する（ステップ１０４）。
【００３３】
次に、判定処理部３７は、移動元エリアＩＤが現在エリアＩＤと一致するか確認し（ステップ１０５）、移動元エリアＩＤが現在エリアＩＤと一致しない場合（ステップ１０５：ＮＯ）、判定処理部３７は、当該移動元エリアにおいて当該利用者にアンチパスバック違反ありと判定し、一連の入退判定処理を終了する。これにより、対応するドア２１の電気錠２２は施錠されたままとなり、利用者は移動先区画へ入室することはできない。
【００３４】
一方、移動元エリアＩＤが現在エリアと一致する場合（ステップ１０５：ＹＥＳ）、判定処理部３７は、当該移動元エリアにおいて当該利用者にアンチパスバック違反なしと判定し、通信Ｉ／Ｆ部３１から当該リーダ端末２３と対応する電気錠２２へ開錠を指示する（ステップ１０６）。
【００３５】
これに続いて、判定処理部３７は、判定要求で指定されたリーダ端末ＩＤに基づき端末情報記憶部３４から移動先区画ＩＤを取得した後、この移動先区画ＩＤに基づき区画情報記憶部３３から移動先区画の個別ＩＤを示す移動先個別ＩＤと移動先区画のエリアＩＤを示す移動先エリアＩＤとを取得し（ステップ１０７）、これら移動先個別ＩＤと移動先エリアＩＤを、現在位置情報記憶部３６のうち利用者の現在個別ＩＤと現在エリアＩＤとして登録し（ステップ１０８）、一連の入退判定処理を終了する。
【００３６】
［第１の実施の形態の動作例］
次に、図７を参照して、本実施の形態にかかる入退管理システムの入退判定動作例について説明する。図７は、第１の実施の形態にかかる入退管理システムの入退判定動作例を示す説明図である。
【００３７】
図７の例では、４つの区画Ｒ０〜Ｒ３が設けられており、前述した図２に示されているように、区画Ｒ０が共用部、区画Ｒ１が管理部、区画Ｒ２が研究室、区画Ｒ３が実験室である。これら区画Ｒ０〜Ｒ３は、ドアを介して縦列接続されており、区画Ｒ０から区画Ｒ３へ移動するには、区画Ｒ０から区画Ｒ１，Ｒ２を介して区画Ｒ３まで移動することになる。
【００３８】
また、区画Ｒ０〜Ｒ３には、アンチパスバックを判定する単位として、３つのエリアＡ０〜Ａ２が設けられている。このうちエリアＡ０は区画Ｒ０からなり、エリアＡ１は区画Ｒ１からなり、エリアＡ２は区画Ｒ２，Ｒ３からなる。
この際、エリアＡ０，Ａ１，Ａ２に対して、それぞれエリアＩＤ「００」，「０１」，「０２」が割り当てられており、区画Ｒ０，Ｒ１，Ｒ２，Ｒ３に対して、それぞれ個別ＩＤ「００」，「００」，「００」，「０１」が割り当てられている。
【００３９】
また、区画Ｒ０と区画Ｒ１とを行き来するためのドアには、区画Ｒ０側にリーダ端末Ｔ０１が設けられており、区画Ｒ１側にリーダ端末Ｔ１０が設けられている。また、区画Ｒ１と区画Ｒ２と行き来するためのドアには、区画Ｒ１側にリーダ端末Ｔ１２が設けられており、区画Ｒ２側にリーダ端末Ｔ２１が設けられている。また、区画Ｒ２と区画Ｒ３と行き来するためのドアには、区画Ｒ２側にリーダ端末Ｔ２３が設けられているが、区画Ｒ３側にはリーダ端末は設けられていない。これは、区画Ｒ２，Ｒ３が同一のエリアＡ２に属しており、区画Ｒ３が退室判定が不要な退室自由区画であるからである。
【００４０】
次に、区画Ｒ０に存在する利用者Ｐが区画Ｒ１，Ｒ２を通過して区画Ｒ３まで移動する場合のアンチパスバック判定と現在位置情報の変化について説明する。なお、利用者Ｐは、これら区画Ｒ０〜Ｒ３に対して通行許可されているものとし、入退可否判定について説明を省略する。
【００４１】
まず、利用者Ｐは、区画Ｒ０から区画Ｒ１へ移動するためリーダ端末Ｔ０１を操作する。この場合、移動元区画Ｒ０のエリアＩＤが「００」であり、利用者Ｐの現在エリアＩＤも「００」であることから、区画Ｒ０において利用者Ｐのアンチパスバック違反なしと判定され、区画Ｒ１への入室が許可される。これにより、利用者Ｐの現在エリアＩＤが「０１」となり、個別ＩＤが「００」となる。
【００４２】
次に、利用者Ｐは、区画Ｒ１から区画Ｒ２へ移動するためリーダ端末Ｔ１２を操作する。この場合、移動元区画Ｒ１のエリアＩＤが「０１」であり、利用者Ｐの現在エリアＩＤも「０１」であることから、区画Ｒ１において利用者Ｐのアンチパスバック違反なしと判定され、区画Ｒ２への入室が許可される。これにより、利用者Ｐの現在エリアＩＤが「０２」となり、個別ＩＤが「００」となる。
【００４３】
次に、利用者Ｐは、区画Ｒ２から区画Ｒ３へ移動するためリーダ端末Ｔ２３を操作する。この場合、移動元区画Ｒ２のエリアＩＤが「０２」であり、利用者Ｐの現在エリアＩＤも「０２」であることから、区画Ｒ２において利用者Ｐのアンチパスバック違反なしと判定され、区画Ｒ３への入室が許可される。これにより、利用者Ｐの現在エリアＩＤは「０２」のままであるが、個別ＩＤが「０１」となる。
【００４４】
次に、区画Ｒ３に存在する利用者Ｐが区画Ｒ２，Ｒ１を通過して区画Ｒ０まで移動する場合のアンチパスバック判定と現在位置情報の変化について説明する。なお、利用者Ｐは、これら区画Ｒ０〜Ｒ３に対して通行許可されているものとし、入退可否判定について説明を省略する。
【００４５】
まず、利用者Ｐは、区画Ｒ３から区画Ｒ２へ移動する場合、区画Ｒ３が退室自由区画であることから、区画２へ自由に退室できる。これにより、利用者Ｐの現在エリアＩＤが「０２」であり、個別ＩＤも「０１」のままとなる。
次に、利用者Ｐは、区画Ｒ２から区画Ｒ１へ移動するためリーダ端末Ｔ２１を操作する。この場合、移動元区画Ｒ２のエリアＩＤが「０２」であり、利用者Ｐの現在エリアＩＤも「０２」であることから、区画Ｒ２において利用者Ｐのアンチパスバック違反なしと判定され、区画Ｒ１への入室が許可される。これにより、利用者Ｐの現在エリアＩＤは「０１」となり、個別ＩＤも「００」となる。
【００４６】
この際、退室自由区画である区画Ｒ３の退室用リーダ端末が省かれているものの、アンチパスバック判定は、区画Ｒ２，Ｒ３で共通するエリアＡ２のエリアＩＤで行われるため、区画Ｒ３の現在位置情報のまま区画Ｒ２へ移動した場合であっても、区画Ｒ２においてアンチパスバック違反なしと判定される。
【００４７】
また、エリアＡ２内における利用者の現在位置については、区画Ｒ２から区画Ｒ３への移動に合わせて利用者の現在個別ＩＤが変化するため、利用者の現在位置をエリアＡ２内でも詳細に把握できるが、区画Ｒ３から区画Ｒ２への移動時については、現在個別ＩＤが変化しないため、利用者の現在位置は、区画Ｒ３または区画Ｒ２、すなわちエリアＡ２内となる。
【００４８】
次に、利用者Ｐは、区画Ｒ１から区画Ｒ０へ移動するためリーダ端末Ｔ１０を操作する。この場合、移動元区画Ｒ１のエリアＩＤが「０１」であり、利用者Ｐの現在エリアＩＤも「０１」であることから、区画Ｒ１において利用者Ｐのアンチパスバック違反なしと判定され、区画Ｒ０への入室が許可される。これにより、利用者Ｐの現在エリアＩＤは「００」となり、個別ＩＤが「００」となる。
【００４９】
［第１の実施の形態の効果］
このように、本実施の形態は、少なくとも、各区画２０に設けられたドアのうち異なるエリアの区画２０へ移動するためのドアの両側と、各区画２０に設けられたドアのうち同一エリアの区画２０へ移動するためのドアのいずれか片側とに、リーダ端末２３を設置し、判定処理部３７において、リーダ端末２３からの判定要求に応じて、区画情報記憶部３３から取得した移動元区画のエリアＩＤと、現在位置情報記憶部３６から取得した利用者の現在エリアＩＤとを比較することにより利用者のアンチパスバックを判定し、入退可否判定の結果が入退可を示すとともにアンチパスバック違反なしと判定された場合、現在位置情報記憶部３６のうち利用者の現在エリアＩＤおよび現在区画ＩＤとして、区画情報記憶部３３から取得した移動先区画のエリアＩＤおよび個別ＩＤを登録するようにしたものである。
【００５０】
これにより、同一エリアに属する区画２０間を利用者が移動した後、異なるエリア２５の区画２０へ移動する際、同一エリアの移動では利用者の現在エリアＩＤは変更されないため、アンチパスバック判定を正確に行うことができる。したがって、エリア２５が同一の区画２０間について入退判定せずに移動自由とした場合でも、エリア２５間の移動についてはアンチパスバック判定を正確に行うことができる。
【００５１】
また、本実施の形態によれば、区画に設けられたドアのうち同一エリアの区画へ移動するためのドアのいずれか片側に設置されたリーダ端末２３で、入退判定が行われるため、同一エリアに属する区画間を利用者が移動した場合でも、ある程度のセキュリティ性が得られるとともに、利用者の現在位置を把握することができる。
【００５２】
また、本実施の形態によれば、アンチパスバック判定に個別ＩＤが使用されないことから、各区画２０に対してアンチパスバック判定とは別個に、個別ＩＤを割り当てることができる。このため、区画２０の構成を変更する必要がある場合でも、同一エリア２５内の変更として対応できる場合には、アンチパスバック判定の変更を考慮することなく、自由に区画２０の構成を変更することができ、組織変更による模様替えなどに、容易に対応することが可能となる。
【００５３】
［第２の実施の形態］
次に、本発明の第２の実施の形態にかかる入退管理システムについて説明する。
第１の実施の形態では、区画２０および利用者ごとに、エリアＩＤと個別ＩＤとを別個に割り当ててアンチパスバック判定と現在位置管理とを行う場合について説明した。本実施の形態では、これらエリアＩＤと個別ＩＤと１つの区画コードとして扱う場合について説明する。
【００５４】
図８は、区画コードの構成例である。区画コードは、各区画２０を識別するためのコードであり、各区画２０に個別の値が割り当てられている。図８の例は、４桁の数字から区画コードが構成されており、そのうち上位２桁に、第１の実施の形態で用いたエリアＩＤが割り当てられており、下位２桁に、第１の実施の形態で用いた個別ＩＤが割り当てられている。なお、図８はあくまでも一構成例であり、これに限定されるものではなく、区画コードのいずれかの桁に、エリアＩＤと個別ＩＤが含まれていればよい。
【００５５】
図９は、第２の実施の形態にかかる区画情報の構成例である。ここでは、前述した図２と比較して、個別ＩＤと区画ＩＤとが、１つの区画コードとして登録されている。
図１０は、第２の実施の形態にかかる現在位置情報の構成例である。ここでも、前述した図５と比較して、現在個別ＩＤと現在区画ＩＤとが、１つの現在区画コードとして登録されている。
本実施の形態にかかる入退管理システム１における他の構成および動作については、第１の実施の形態と同様であり、ここでの詳細な説明は省略する。
【００５６】
［第２の実施の形態の動作例］
次に、図１１を参照して、本実施の形態にかかる入退管理システムの入退判定動作例について説明する。図１１は、第２の実施の形態にかかる入退管理システムの入退判定動作例を示す説明図である。
【００５７】
図１１の例では、前述した図７と同様に、４つの区画Ｒ０〜Ｒ３が設けられており、前述した図２に示されているように、区画Ｒ０が共用部、区画Ｒ１が管理部、区画Ｒ２が研究室、区画Ｒ３が実験室である。これら区画Ｒ０〜Ｒ３は、ドアを介して縦列接続されており、区画Ｒ０から区画Ｒ３へ移動するには、区画Ｒ０から区画Ｒ１，Ｒ２を介して区画Ｒ３まで移動することになる。
【００５８】
また、区画Ｒ０〜Ｒ３には、アンチパスバックを判定する単位として、３つのエリアＡ０〜Ａ２が設けられている。このうちエリアＡ０は区画Ｒ０からなり、エリアＡ１は区画Ｒ１からなり、エリアＡ２は区画Ｒ２，Ｒ３からなる。
この際、エリアＡ０，Ａ１，Ａ２に対して、それぞれエリアＩＤ「００」，「０１」，「０２」が割り当てられており、区画Ｒ０，Ｒ１，Ｒ２，Ｒ３に対して、それぞれ個別ＩＤ「００」，「００」，「００」，「０１」が割り当てられている。したがって、図８の区画コード構成によれば、区画Ｒ０，Ｒ１，Ｒ２，Ｒ３の区画コードは、それぞれ「００００」，「０１００」，「０２００」，「０２０１」となる。
【００５９】
また、区画Ｒ０と区画Ｒ１とを行き来するためのドアには、区画Ｒ０側にリーダ端末Ｔ０１が設けられており、区画Ｒ１側にリーダ端末Ｔ１０が設けられている。また、区画Ｒ１と区画Ｒ２と行き来するためのドアには、区画Ｒ１側にリーダ端末Ｔ１２が設けられており、区画Ｒ２側にリーダ端末Ｔ２１が設けられている。また、区画Ｒ２と区画Ｒ３と行き来するためのドアには、区画Ｒ２側にリーダ端末Ｔ２３が設けられているが、区画Ｒ３側にはリーダ端末は設けられていない。これは、区画Ｒ２，Ｒ３が同一のエリアＡ２に属しており、区画Ｒ３が退室判定が不要な退室自由区画であるからである。
【００６０】
次に、区画Ｒ０に存在する利用者Ｐが区画Ｒ１，Ｒ２を通過して区画Ｒ３まで移動する場合のアンチパスバック判定と現在位置情報の変化について説明する。なお、利用者Ｐは、これら区画Ｒ０〜Ｒ３に対して通行許可されているものとし、入退可否判定について説明を省略する。
【００６１】
まず、利用者Ｐは、区画Ｒ０から区画Ｒ１へ移動するためリーダ端末Ｔ０１を操作する。この場合、移動元区画Ｒ０の区画コードが「００００」であってエリアＩＤが「００」であり、利用者Ｐの現在区画コードが「００００」であって現在エリアＩＤも「００」であることから、区画Ｒ０において利用者Ｐのアンチパスバック違反なしと判定され、区画Ｒ１への入室が許可される。これにより、利用者Ｐの現在区画コードが「０１００」となる。
【００６２】
次に、利用者Ｐは、区画Ｒ１から区画Ｒ２へ移動するためリーダ端末Ｔ１２を操作する。この場合、移動元区画Ｒ１の区画コードが「０１００」であってエリアＩＤが「０１」であり、利用者Ｐの区画コードが「０１００」であって現在エリアＩＤも「０１」であることから、区画Ｒ１において利用者Ｐのアンチパスバック違反なしと判定され、区画Ｒ２への入室が許可される。これにより、利用者Ｐの現在区画コードが「０２００」となる。
【００６３】
次に、利用者Ｐは、区画Ｒ２から区画Ｒ３へ移動するためリーダ端末Ｔ２３を操作する。この場合、移動元区画Ｒ２の区画コードが「０２００」であってエリアＩＤが「０２」であり、利用者Ｐの区画コードが「０２００」であって現在エリアＩＤも「０２」であることから、区画Ｒ２において利用者Ｐのアンチパスバック違反なしと判定され、区画Ｒ３への入室が許可される。これにより、利用者Ｐの現在区画コードが「０２０１」となる。
【００６４】
次に、区画Ｒ３に存在する利用者Ｐが区画Ｒ２，Ｒ１を通過して区画Ｒ０まで移動する場合のアンチパスバック判定と現在位置情報の変化について説明する。なお、利用者Ｐは、これら区画Ｒ０〜Ｒ３に対して通行許可されているものとし、入退可否判定について説明を省略する。
【００６５】
まず、利用者Ｐは、区画Ｒ３から区画Ｒ２へ移動する場合、区画Ｒ３が退室自由区画であることから、区画２へ自由に退室できる。これにより、利用者Ｐの現在区画コードが「０２０１」のままとなる。
次に、利用者Ｐは、区画Ｒ２から区画Ｒ１へ移動するためリーダ端末Ｔ２１を操作する。この場合、移動元区画Ｒ２の区画コードが「０２００」であってエリアＩＤが「０２」であり、利用者Ｐの現在区画コードが「０２０１」であってエリアＩＤも「０２」であることから、区画Ｒ２において利用者Ｐのアンチパスバック違反なしと判定され、区画Ｒ１への入室が許可される。これにより、利用者Ｐの現在区画コードが「０１００」となる。
【００６６】
この際、退室自由区画である区画Ｒ３の退室用リーダ端末が省かれているものの、アンチパスバック判定は、区画Ｒ２，Ｒ３で共通するエリアＡ２のエリアＩＤで行われるため、区画Ｒ３の現在位置情報のまま区画Ｒ２へ移動した場合であっても、区画Ｒ２においてアンチパスバック違反なしと判定される。
【００６７】
また、エリアＡ２内における利用者の現在位置については、区画Ｒ２から区画Ｒ３への移動に合わせて利用者の現在個別ＩＤが変化するため、利用者の現在位置をエリアＡ２内でも詳細に把握できるが、区画Ｒ３から区画Ｒ２への移動時については、現在個別ＩＤが変化しないため、利用者の現在位置は、区画Ｒ３または区画Ｒ２、すなわちエリアＡ２内となる。
【００６８】
次に、利用者Ｐは、区画Ｒ１から区画Ｒ０へ移動するためリーダ端末Ｔ１０を操作する。この場合、移動元区画Ｒ１の区画コードが「０１００」であってエリアＩＤが「０１」であり、利用者Ｐの現在区画コードが「０１００」であってエリアＩＤも「０１」であることから、区画Ｒ１において利用者Ｐのアンチパスバック違反なしと判定され、区画Ｒ０への入室が許可される。これにより、利用者Ｐの現在区画コードが「００００」となる。
【００６９】
［第２の実施の形態の効果］
このように、本実施の形態では、個別ＩＤとエリアＩＤとを１つの区画コードとして扱うようにしたので、アンチパスバック判定処理において、各記憶部をアクセスする回数を削減することができ、処理負担を軽減できるとともに処理を高速化することができる。
【００７０】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００７１】
１…入退管理システム、１０…ＩＤカード、２０…区画、２１…ドア、２２…電気錠、２３…リーダ端末、２５…エリア、３０…判定処理装置、３１…通信Ｉ／Ｆ部、３２…記憶部、３３…区画情報記憶部、３４…端末情報記憶部、３５…利用者情報記憶部、３６…現在位置情報記憶部、３７…判定処理部、Ｌ１…通信回線。
【図１】
0005592726.tif 000002
【図２】
0005592726.tif 000003
【図３】
0005592726.tif 000004
【図４】
0005592726.tif 000005
【図５】
0005592726.tif 000006
【図６】
0005592726.tif 000007
【図７】
0005592726.tif 000008
【図８】
0005592726.tif 000009
【図９】
0005592726.tif 000010
【図１０】
0005592726.tif 000011
【図１１】
0005592726.tif 000012